(57)【特許請求の範囲】
【請求項１】
サービス領域内の端末をサービスする基地局と前記基地局を制御する移動交換局とを有する移動通信システムにおいて、前記端末が発呼を試みる時、前記基地局が呼設定を遂行する方法であって、
前記端末から受信者の電話番号を含まない発呼メッセージを受信すると、前記端末に無線資源を割り当て、前記割当て情報を含むチャンネル割当てメッセージを前記端末へ送信するステップと、
前記チャンネル割当てメッセージを送信した後、前記端末に無線チャンネルを割り当てるステップと、
前記無線チャンネルの割当てが完了された後、前記端末から受信者の電話番号を含む発呼延長メッセージを受信すると、有線資源の割当てを要求するサービス要求メッセージを前記移動交換局へ送信するステップと、
前記移動交換局から無線資源の割当て要求メッセージを受信すると、当該無線資源の割当て要求メッセージを前記移動交換局での有線資源の割当て完了を示すメッセージとして認知し、無線資源の割当て完了メッセージを前記移動交換局へ送信するステップと、
を含むことを特徴とする方法。
【請求項２】
前記移動交換局から割当て要求メッセージ受信すると、無線チャンネルの割当てが完了されたか否かを検査するステップと、
無線チャンネルの割当てが完了された場合、前記割当て完了メッセージを前記移動交換局へ送信するステップをさらに備えることを特徴とする請求項１記載の方法。
【請求項３】
サービス領域内の端末をサービスする基地局と前記基地局を制御する移動交換局とを有する移動通信システムにおいて、前記端末が発呼を試みる時、前記基地局が呼設定を遂行する方法であって、
前記端末から発呼メッセージを受信すると、有線資源の割当てを要求するサービス要求メッセージを前記移動交換局へ送信し、前記端末に無線資源を同時に割り当て、前記割当て情報を含むチャンネル割当てメッセージを前記端末へ送信するステップと、
前記端末に無線チャンネルを割り当てるステップと、
前記移動交換局から無線資源の割当て要求メッセージが受信されると、当該無線資源の割当て要求メッセージを前記移動交換局での有線資源の割当て完了を示すメッセージとして認知し、無線資源の割当て完了メッセージを前記移動交換局へ送信するステップと、
を含むことを特徴とする方法。
【請求項４】
前記移動交換局からの割当て要求メッセージがサービス要求メッセージが伝送された後に受信されることを特徴とする請求項３記載の方法。
【請求項５】
前記移動交換局から割当て要求メッセージを受信すると、前記基地局が無線チャンネルの割当てが完了されたか否かを検査するステップと、
無線チャンネルの割当てが完了されると、前記割当て完了メッセージを前記移動交換局へ送信することを特徴とする請求項３記載の方法。
【請求項６】
サービス領域内の端末をサービスする基地局と前記基地局を制御する移動交換局とを有する移動通信システムにおいて、前記端末が発呼を試みる時、前記基地局が呼設定を遂行する方法であって、
前記端末から受信者の電話番号を含まない発呼メッセージを受信すると、有線資源の割当てを要求するサービス要求メッセージを前記移動交換局へ送信し、前記端末に無線資源を同時に割り当て、前記割当て情報を含むチャンネル割当てメッセージを前記端末へ送信するステップと、
前記チャンネル割当てメッセージを送信した後、前記端末に無線チャンネルを割り当てるステップと、
前記無線チャンネルが割り当てられた後、前記端末から発呼延長メッセージを受信すると、前記受信者の電話番号を前記移動交換局へ送信するステップと、
前記無線チャンネルが割り当てられた後、前記サービス要求メッセージに応答して前記移動交換局から無線資源の割当て要求メッセージを受信すると、当該無線資源の割当て要求メッセージを前記移動交換局での有線資源の割当て完了を示すメッセージとして認知し、無線資源の割当て完了メッセージを前記移動交換局へ送信するステップと、
を含むことを特徴とする方法。
【発明の詳細な説明】
【技術分野】
【０００１】
本発明は、移動通信システムにおける呼設定に関し、特に、呼設定をさらに迅速に遂行するための装置及び方法に関する。
【背景技術】
【０００２】
図１は、典型的なセルラー移動通信システムの構成を示す図である。図１に示すように、セルラー移動通信システムは、全体のサービス地域を複数の基地局（Base Station）２０，２１，２２に分割して、小規模のサービス領域であるセル（cell）から構成される。従って、セルラー移動通信システムでは、基地局２０，２１，２２を移動交換局（Mobile Switching Center；ＭＳＣ）１０に集中制御して使用者がセル間を移動しながらも、通話を継続して行うことができるようにする。使用者は、基地局２０，２１，２２及び無線通信が可能な端末（Mobile Station；ＭＳ）３０を用いて、セルラー移動通信システムを通して呼を設定することによって、他の端末との音声通話又はデータ通信を遂行する。ここで、セルラー移動通信システムにおいて、発呼を設定する過程について説明する。
【０００３】
図２は、従来技術による発呼を設定するための手順を示すメッセージフロー図である。図２を参照すると、ステップ（ａ）で、端末は、通話しようとする受信者（または着信側）の電話番号を含む発呼メッセージ（Origination Message）を基地局（Base Station；ＢＳ）に送信する。そうすると、基地局は、ステップ（ｂ）で基地局応答オーダー（BS Ack Order）で応答した後、ステップ（ｃ）で、移動交換局にＣＭ（Configuration Module）サービス要求（Service Request）メッセージを送信する。上記ＣＭサービス要求メッセージを受信した移動交換局は、上記発呼メッセージを送信した端末に対する資源を割り当て、ステップ（ｄ）で、基地局に無線区間（又は無線リンク）の資源割当てを要求する割当て要求（Assignment Request）メッセージを送信する。
【０００４】
基地局は、上記割当て要求に応答して、端末と通信を遂行するトラヒックチャンネルを割り当て、ステップ（ｅ）で、チャンネル割当て（Channel Assignment）メッセージを端末に送信する。上記チャンネル割当てメッセージを受信すると、端末は、上記受信されたチャンネル割当てメッセージに従ってトラヒックチャンネルを設定する。トラヒックチャンネルを設定した後、端末は、ステップ（ｆ）で、上記割り当てられたトラヒックチャンネルにプリアンブル（Traffic Channel Preamble）を基地局へ送信する。上記プリアンブルを成功的に受信すると、基地局は、ステップ（ｇ）で、基地局応答オーダーを端末へ送信する。端末は、基地局の応答オーダーに答えて、ステップ（ｈ）で、端末応答オーダー（MS Ack Order）を送信する。
【０００５】
上記応答オーダーを交換した後、端末は、サービスネゴシエーション（Service Negotiation）のために、ステップ（ｉ）及び（ｊ）で、サービス接続メッセージ及びサービス接続完了メッセージを基地局と交換する。上記サービスネゴシエーションが完了されると、基地局は、ステップ（ｋ）で、移動交換局に割当て完了（Assignment Complete）メッセージを送信して発信側が要求した呼設定手順を完了する。そうすると、移動交換局は、ステップ（ｌ）で、着信側からの応答が受信されるまで、基地局を通して端末へ呼出音（Ring Back Tone；ＲＢＴ）を送信する。
【０００６】
以上のように、従来の呼設定手順において、基地局からＣＭサービス要求メッセージを受信した後、移動交換局が資源割当てを完了するのには、通常５秒が要求され、この後、基地局が端末へ無線資源を割り当てるのには、付加的に５秒が要求される。すなわち、このような呼設定手順によって発生する遅延のために、使用者に不便さを与える、という問題があった。
【発明の開示】
【発明が解決しようとする課題】
【０００７】
上記背景に鑑みて、本発明の目的は、呼設定手順でダイヤル入力が開始される時、基地局の資源割当てを即時遂行し、ダイヤル入力が完了された後、移動交換局の資源割当てを遂行する方法を提供することにある。
本発明の他の目的は、呼設定手順で移動交換局の資源割当て及び基地局の資源割当てを同時に遂行する方法を提供することにある。
本発明のまた他の目的は、ダイヤル入力が開始される時、移動交換局の資源割当て及び基地局の資源割当てを同時に遂行する方法を提供することにある。
【課題を解決するための手段】
【０００８】
このような目的を達成するために、本発明の１つの特徴によると、サービス領域内の端末をサービスする基地局と上記基地局を制御する移動交換局とを有する移動通信システムにおいて、上記端末が呼設定を遂行する方法であって、受信者の電話番号を受信すると、上記端末が上記基地局へ発呼メッセージを送信するステップと、上記基地局が上記端末からの上記発呼メッセージに応答した後、上記端末に無線チャンネルを設定するステップと、上記無線チャンネルの設定が完了され、上記受信者の電話番号の受信が完了されると、上記端末が上記基地局へ発呼延長メッセージを送信するステップと、上記発呼延長メッセージを受信すると、上記基地局が上記移動交換局に無線区間で呼設定を遂行するように要求するステップと、から構成されることを特徴とする。
【０００９】
本発明の他の特徴によると、サービス領域内の端末をサービスする基地局と上記基地局を制御する移動交換局とを有する移動通信システムにおいて、上記端末が呼設定を遂行する方法であって、発呼が要求されると、上記端末が上記基地局へ発呼メッセージを送信するステップと、上記端末から上記発呼メッセージを受信すると、上記基地局が上記移動交換局へ上記端末に対するサービス要求メッセージを送信し、上記端末に無線チャンネルを設定して上記端末とサービスネゴシエーションを遂行するステップと、から構成されることを特徴とする。
【００１０】
本発明のまた他の特徴によると、サービス領域内の端末をサービスする基地局と上記基地局を制御する移動交換局とを有する移動通信システムにおいて、上記端末が呼設定を遂行する方法であって、受信者の電話番号を受信すると、上記端末が上記基地局へ発呼メッセージを送信するステップと、上記端末から上記発呼メッセージを受信すると、上記基地局が上記移動交換局へサービス要求メッセージを送信するとともに、上記端末に無線チャンネルを設定するステップと、上記受信者の電話番号の受信が完了されると、上記端末が上記基地局へ発呼延長メッセージとともに上記受信者の電話番号を送信するステップと、上記発呼延長メッセージを受信すると、上記基地局が上記移動交換局へ上記受信者の電話番号を送信するステップと、から構成されることを特徴とする。
【発明の効果】
【００１１】
本発明は、移動通信システムにおいて、呼設定手順でダイヤル入力が始まった時に無線チャンネルを即座に設定する。上記ダイヤル入力が完了された後、基地局は、移動交換局への呼設定を試みるか、又は、基地局及び移動交換局は、呼設定手順を同時に遂行する。このような方式にて、本発明は、呼設定手順による遅延を防止することによって、使用者の不便さを最小にすることができる、という長所がある。
【発明を実施するための最良の形態】
【００１２】
以下、本発明による好適な一実施形態について添付した図面を参照しつつ詳細に説明する。下記の説明において、本発明の要旨のみを明瞭にする目的で、関連した公知の機能又は構成に関する具体的な説明は省略する。
後述する本発明は、移動通信システムにおいて、ダイヤル手順の間、伝送チャンネルを設定する装置及び方法を提供する。ここで提案された装置及び方法は、ダイヤル手順が完了された直後に基地局から移動交換局（ＭＳＣ）へ伝送チャンネルを割り当てる。
【００１３】
第１の実施形態
本発明の第１の実施形態は、使用者が通話しようとする受信者の電話番号を入力し始める瞬間、すなわち、ダイヤル入力が完了される前に、基地局での呼設定を遂行し、受信者の電話番号の入力が完了されると、移動交換局での呼設定を遂行する。本発明の第１の実施形態による動作については、図１２を参照して短縮ダイヤルを考慮せずに説明する。
【００１４】
図３は、本発明の第１の実施形態による呼設定手順を示すメッセージフロー図である。図３を参照すると、最初に使用者が通話しようとする受信者の電話番号を入力し始めると、ステップ（ａ）で、端末は、発呼メッセージ（Origination Message）を基地局へ送信する。ここで、上記発呼メッセージは、受信者の電話番号を含むことではなく、０で構成されたダミー電話番号を含むことができる。そうすると、基地局は、ステップ（ｂ）で、基地局応答オーダー（BS Ack Order）に応答し、移動交換局からの無線資源割当て要求なく、順方向トラヒックチャンネルとこれに対応する逆方向トラヒックチャンネルを割り当てる。基地局は、受信者の電話番号を含まないか、又は、０で構成されたダミー電話番号を含む場合に、本発明の実施形態による動作を遂行することができるように構成される。しかしながら、基地局は、現在の発呼メッセージを受信する場合でも、本発明の実施形態による動作を遂行することができるように構成されることができる。ステップ（ｃ）で、基地局は、上記割当てられたトラヒックチャンネルについての情報を含むチャンネル割当てメッセージ（Channel Assignment Message）を端末へ即座に伝送する。このとき、基地局は、ＣＭ（Configuration Module）サービス要求メッセージを移動交換局へ伝送しない状態である。
【００１５】
端末は、上記チャンネル割当てメッセージを受信すると、上記受信されたチャンネル割当てメッセージに従って順方向トラヒックチャンネルとこれに対応する逆方向トラヒックチャンネルを設定する。その後、端末は、ステップ（ｄ）で、基地局が割り当てた逆方向トラヒックチャンネルを通してプリアンブル（Preamble）を基地局へ伝送する。上記プリアンブルを成功的に受信した基地局は、ステップ（ｅ）で、端末に基地局応答オーダーを送信し、端末は、これに応じて、ステップ（ｆ）で、端末応答オーダー（MS Ack Order）を基地局へ送信する。上記応答オーダーを交換して無線区間（又は無線リンク）でトラヒックチャンネルの設定を完了した端末及び基地局は、ステップ（ｇ）及び（ｈ）で、サービス接続メッセージ（Service Connect Message）及びサービス接続完了メッセージ（Service Connect Completion）を交換し、これによって、上記トラヒックチャンネルのためのサービスネゴシエーション（Service Negotiation）を遂行する。
【００１６】
上記サービスネゴシエーションまでの無線区間の呼設定手順は、通常、使用者が受信者の電話番号をすべて入力する前に完了される。この後、使用者が受信者の電話番号の入力（又はダイヤル）を完了し、端末は、通話（SEND）ボタンを押すと、ステップ（ｉ）で、上記入力された受信者の電話番号を含む発呼延長メッセージ（Origination Continuation Message）を基地局へ即座に送信する。そうすると、基地局は、ステップ（ｊ）で、移動交換局にＣＭサービス要求メッセージを送信する。
上記発呼延長メッセージを受信するときまで無線区間での呼設定が完了されると、基地局は、無線区間での呼設定を完了した後、ＣＭサービス要求メッセージを移動交換局へ送信する。
【００１７】
移動交換局は、上記ＣＭサービス要求メッセージに応答して有線資源を割り当てた後、ステップ（ｋ）で、基地局に割当て要求メッセージ（Assignment Request Message）を送信して無線資源の割当てを要求する。しかしながら、本発明の実施形態で、基地局は、端末に無線資源をすでに割り当てた状態である。従って、基地局は、上記チャンネル要求メッセージを移動交換局での資源設定が完了されたことを示すメッセージとして認知することができる。そうすると、ステップ（ｌ）で、基地局は、上記割当て要求メッセージに応答して、割当て完了（Assignment Complete）メッセージを移動交換局へ即座に送信し、発信側との呼設定手順を完了する。ステップ（ｍ）で、移動交換局は、着信側からの応答が受信されるまで、基地局を通して呼出音（Ring Back Tone；ＲＢＴ）を端末へ送信する。
【００１８】
上述した本発明の第１の実施形態によると、端末は、使用者が端末の通話（SEND）ボタンを押す前に、最初のボタンを入力する場合、又は、あらかじめ設定された条件を満足し、使用者がダイヤルを遂行しようとする場合に、無線区間の呼設定動作を遂行する。そして、移動交換局から割当て要求メッセージを受信すると、基地局は、これに対する応答を即座に送信し、迅速な呼設定を可能にする。このような動作は、短縮ダイヤルが遂行される場合でも、上記説明されたものと同一に動作することもできる。短縮ダイヤル・モードでも、数字キーが入力されると、端末は、発呼メッセージを送信し、基地局は、上述した実施形態と同一の動作を遂行する。また、上記短縮ダイヤル・モードでも、端末は、通話ボタンが入力される場合に遂行されるものと同一の方法にて電話番号を含む発呼延長メッセージを送信することができる。さらに説明すると、短縮ダイヤルのために、２桁又は３桁の短縮ダイヤル番号のうちの最後の桁が入力されると、端末は、該当電話番号をメモリーから読み出す。そして、端末は、上記読み出された電話番号を受信者の電話番号として使用して発呼延長メッセージを生成することができ、上記生成された発呼延長メッセージを基地局へ送信することができる。このような場合に、端末は、短縮ダイヤル番号がすべて入力されるときまで待機せず、発呼メッセージを即座に送信することができる。これは、本発明の他の実施形態でも同一に適用されることができる。
【００１９】
図４は、本発明の第１の実施形態による端末の動作を示すフローチャートである。図４を参照すると、ステップ１００で、使用者によって受信者の電話番号が入力されると、ステップ１１０で、端末は、受信者の電話番号を含まない発呼メッセージを基地局へ送信する。図３で説明したように、端末は、‘０’で設定されたダミー電話番号を生成し、この生成されたダミー電話番号を上記発呼メッセージとともに送信することもできる。このように、ステップ１２０で、上記発呼メッセージに応じて、基地局からチャンネル割当てメッセージが受信されると、ステップ１３０で、端末は、無線区間のチャンネル設定及びサービスネゴシエーションを遂行する。すなわち、端末は、基地局が前に割り当てたトラヒックチャンネルを介して通信を遂行するためにチャンネルを設定する。また、端末は、基地局が設定したトラヒックチャンネルを介してプリアンブルを基地局へ送信する。この後、基地局から基地局応答オーダーを受信すると、端末は、基地局とサービスネゴシエーションを遂行する。上記サービスネゴシエーションが完了された後、ステップ１４０で、使用者が受信者の電話番号をすべて入力し、通話ボタンを押すと、ステップ１５０で、端末は、上記受信者の電話番号を含む発呼延長メッセージを基地局へ送信する。
【００２０】
図５は、本発明の第１の実施形態による基地局の動作を示すフローチャートである。図５を参照すると、ステップ２００で、端末から受信者の電話番号を含まない発呼メッセージ、又は、０で設定されたダミー電話番号を含む発呼メッセージを受信する。そうすると、基地局は、移動交換局にＣＭサービス要求メッセージを送信することなく、端末のための無線資源、すなわち、順方向及び逆方向トラヒックチャンネルを割り当て、ステップ２１０で、上記順方向及び逆方向トラヒックチャンネルの割当て情報を含むチャンネル割当てメッセージを端末へ送信する。そして、ステップ２２０で、基地局は、応答オーダー交換及びサービスネゴシエーションを遂行する。すなわち、基地局は、端末からプリアンブルを受信し、上記プリアンブルに応答して、基地局応答オーダーを端末へ送信する。その後、基地局は、端末から端末応答オーダーを受信し、サービスネゴシエーションを遂行する。その後、ステップ２３０で、端末から受信者の電話番号を含む発呼延長メッセージを受信すると、ステップ２４０で、基地局は、ＣＭサービス要求メッセージを移動交換局へ送信して有線区間（又は有線リンク）の呼設定を遂行する。この後、ステップ２５０で、移動交換局から割当て要求メッセージが受信されると、基地局は、ステップ２６０で、割当て完了メッセージを移動交換局へ即座に送信する。
【００２１】
第２の実施形態
本発明の第２の実施形態は、端末から発呼メッセージを受信し、有線区間の呼設定を遂行する間に、無線区間の呼設定を遂行する。このような第２の実施形態の動作は、短縮ダイヤルを遂行する場合、又は、本発明の第１及び第３の実施形態を支援しない端末の場合に遂行されることができる。
【００２２】
図６は、本発明の第２の実施形態による呼設定手順を示すメッセージフロー図である。図６を参照すると、ステップ（ａ）で、端末は、受信者の電話番号を含む発呼メッセージ（Origination Message）を基地局へ送信する。そうすると、基地局は、ステップ（ｂ）で、上記発呼メッセージに応じて、基地局応答オーダー（BS Ack Order）を端末へ送信し、ステップ（ｃ）で、ＣＭサービス要求メッセージを移動交換局へ送信し、移動交換局が有線資源を割り当てるように要求する。この後、基地局は、移動交換局から割当て要求メッセージを受信せず、無線区間の資源、すなわち、順方向トラヒックチャンネルとこれに対応する逆方向トラヒックチャンネルを即座に割り当てる。その後、基地局は、ステップ（ｄ）で、上記割当て情報を含むチャンネル割当てメッセージを端末へ送信する。このように、移動交換局での有線区間の資源割当て及び基地局での無線区間の資源割当てが同時に遂行される。
【００２３】
端末は、上記チャンネル割当てメッセージを受信すると、上記チャンネル割当てメッセージに従って順方向トラヒックチャンネルとこれに対応する逆方向トラヒックチャンネルを設定する。そして、端末は、ステップ（ｅ）で、基地局によって割り当てられた逆方向トラヒックチャンネルを介してプリアンブル（Traffic Channel Preamble）を送信する。端末から上記プリアンブルを受信すると、基地局は、ステップ（ｆ）で、基地局応答オーダーを端末へ送信し、端末は、これに応じて、ステップ（ｇ）で、端末応答オーダー（MS Ack Order）を基地局へ送信する。
【００２４】
上記応答オーダーの交換を通して無線トラヒックチャンネルの設定を完了した後、端末及び基地局は、ステップ（ｈ）及び（ｉ）で、サービス接続メッセージとサービス接続完了メッセージを交換してサービスネゴシエーションを遂行する。上記サービスネゴシエーションまでの無線区間の呼設定が完了された後、ステップ（ｊ）で、移動交換局は、割当て要求メッセージを基地局へ送信する。このとき、基地局は、すでに端末にチャンネルを割り当てたか、又は、チャンネルを割り当てている状態であるので、移動交換局から受信された割当て要求メッセージを有線区間の呼設定が完了されたことを示すメッセージとして認知する。従って、基地局は、ステップ（ｋ）で、割当て完了メッセージを移動交換局へ即座に送信して発信側での呼設定を完了する。 図６に示したものとは異なり、上記割当て要求メッセージは、無線区間の呼設定が完了される前に送信されることもできる。そうすると、基地局は、無線区間での呼設定を完了した後、割当て完了メッセージを移動交換局へ送信する。このように、割当て完了メッセージが移動交換局で受信された後に、すなわち、発信側での呼設定が完了されると、ステップ（ｌ）で、移動交換局は、基地局を通して呼出音を端末へ送信する。
【００２５】
本発明の第２の実施形態では、無線区間での呼設定及び有線区間での呼設定を同時に遂行することによって、呼設定手順の間の遅延を最小化する。
図７は、本発明の第２の実施形態による端末の動作を示すフローチャートである。図７を参照すると、端末は、ステップ３００で、通話を希望する受信者の電話番号を含む発呼メッセージを送信し、ステップ３１０で、基地局から基地局応答オーダーを受信する。その後、ステップ３２０で、端末は、基地局から無線チャンネルの割当て情報を含むチャンネル割当てメッセージを受信し、ステップ３３０で、上記割当て情報に従って、無線チャンネルの設定及びサービスネゴシエーションを遂行する。すなわち、端末は、順方向トラヒックチャンネルとこれに対応する逆方向トラヒックチャンネルを設定する。その後、端末は、基地局によって割り当てられた逆方向トラヒックチャンネルを介してプリアンブルを基地局へ送信し、基地局と応答オーダーを交換し、サービスネゴシエーションを遂行する。
【００２６】
図８は、本発明の第２の実施形態による基地局の動作を示すフローチャートである。図８を参照すると、基地局は、ステップ４００で、端末から受信者の電話番号を含む発呼メッセージを受信し、ステップ４１０で、基地局応答オーダーを端末へ送信する。その後 ステップ４２０で、基地局は、ＣＭサービス要求メッセージを移動交換局へ送信する。そうすると、基地局は、移動交換局から割当て要求メッセージを受信せず、無線資源、すなわち、順方向トラヒックチャンネルとこれに対応する逆方向トラヒックチャンネルを即座に割り当てた後、ステップ４３０で、上記割当て情報を含むチャンネル割当てメッセージを端末へ送信する。
【００２７】
この後、ステップ４４０で、基地局は、応答オーダー交換及びサービスネゴシエーションを遂行する。すなわち、基地局は、上記割り当てられた逆方向トラヒックチャンネルを介して端末からプリアンブルを受信する。基地局は、端末と応答オーダーを交換した後、サービスネゴシエーションを遂行する。ステップ４５０で、移動交換局から割当て要求メッセージが受信されると、ステップ４６０で、基地局は、無線チャンネルの設定が完了されたか否かを検査する。上記検査の結果、無線チャンネルの設定が完了されると、ステップ４７０で、基地局は、割当て完了メッセージを移動交換局へ送信する。しかしながら、ステップ４６０で、無線チャンネルの設定が完了されない場合、基地局は、上記割当て完了メッセージを移動交換局へ送信する前に、無線チャンネルの設定が完了されるときまで待機する。
【００２８】
第３の実施形態
本発明の第３の実施形態で、基地局及び移動交換局は、使用者が通話しようとする受信者の電話番号を入力し始める瞬間に、呼設定を同時に遂行する。第３の実施形態では、第１の実施形態でのように、短縮ダイヤルに対しては考慮せず説明され、これについては、図１２を参照してさらに詳細に説明される。
【００２９】
図９は、本発明の第３の実施形態による呼設定手順を示すメッセージフロー図である。図９を参照すると、使用者が通話しようとする受信者の電話番号をダイヤルし始めると、ステップ（ａ）で、端末は、発呼メッセージ（Origination Message）を基地局へ送信する。このとき、上記発呼メッセージは、受信者の電話番号を含まないか、又は、０で設定されたダミー電話番号を含む。そうすると、基地局は、ステップ（ｂ）で、端末に基地局応答オーダー（BS Ack Order）を送信することによって発呼メッセージに応答し、ステップ（ｃ）で、移動交換局に有線区間での必要な資源割当てを遂行するように要求するために、ＣＭサービス要求メッセージを移動交換局へ送信する。
【００３０】
同時に、基地局は、移動交換局から無線資源に対する割当て要求メッセージを受信せず、順方向トラヒックチャンネルとこれに対応する逆方向トラヒックチャンネルを割り当て、ステップ（ｄ）で、上記割当て情報を含むチャンネル割当てメッセージを端末へ送信する。これに従って、端末は、上記チャンネル割当てメッセージに含まれた上記割当て情報に従って順方向トラヒックチャンネルとこれに対応する逆方向トラヒックチャンネルを割り当て、ステップ（ｅ）で、上記割り当てられた逆方向トラヒックチャンネルを介してプリアンブル（Tch Preamble）を送信する。基地局は、上記プリアンブルを受信すると、ステップ（ｆ）で、基地局応答オーダーを端末へ送信する。従って、基地局応答オーダーに応じて、ステップ（ｇ）で、端末は、端末応答オーダーを生成して基地局へ送信する。上記応答オーダーの交換を通して無線区間でのトラヒックチャンネルの設定を完了した後、端末及び基地局は、ステップ（ｈ）及び（ｉ）で、サービス接続メッセージ及びサービス接続完了メッセージを交換してサービスネゴシエーションを遂行する。
【００３１】
この後、使用者が受信者の電話番号の入力（又はダイヤル）を完了した後、通話ボタンを押すと、ステップ（ｊ）で、端末は、上記受信者の電話番号を含む発呼延長メッセージを基地局へ即座に送信する。そうすると、基地局は、上記受信者の電話番号を移動交換局へ送信する。一方、これとは別途に、ステップ（ｋ）で、移動交換局は、有線区間の資源設定を完了すると、割当て要求メッセージを基地局へ送信する。上記割当て要求メッセージは、図９に示した時点の前にも基地局へ送信されることができる。すなわち、移動交換局が有線区間で資源割当てが完了されると、移動交換局は、上記割当て要求メッセージを基地局へ送信することができる。従って、上記割当て要求メッセージを受信する時点で無線区間の呼設定が完了されると、ステップ（ｌ）で、基地局は、上記割当て完了メッセージを移動交換局へ即座に送信する。しかしながら、無線区間の呼設定が完了されないと、基地局は、無線区間の呼設定が完了された後、上記割当て完了メッセージを移動交換局へ送信する。本実施形態において、基地局は、上記割当て要求メッセージを受信する前に、無線資源の割当てをすでに遂行した状態である。従って、上記割当て完了メッセージは、有線区間の呼設定の準備が完了されたので、発信側の呼接続のための手順が完了されたことを示すメッセージとして使用されることができる。また、上記割当て要求メッセージは、有線資源の割当てが完了されたことを示すメッセージとして使用されることができる。
本発明の第３の実施形態では、受信者の電話番号の入力が完了される前に、無線区間での呼設定及び有線区間での呼設定を同時に遂行することによって、迅速な呼設定を可能にする。
【００３２】
図１０は、本発明の第３の実施形態による端末の動作を示すフローチャートである。図１０を参照すると、ステップ５００で、使用者が受信者の電話番号を入力し始めると、ステップ５１０で、端末は、受信者の電話番号を含まない発呼メッセージを基地局へ送信する。このとき、図９で説明した通りに、０で設定されたダミー電話番号を含むことができる。そして、ステップ５２０で、基地局からチャンネル割当てメッセージが受信されると、端末は、ステップ５３０で、無線区間でのチャンネル設定及びサービスネゴシエーションを遂行する。すなわち、端末は、上記受信されたチャンネル割当てメッセージに従ってトラヒックチャンネルを設定し、上記割当てられたトラヒックチャンネルを介してプリアンブルを基地局へ送信する。その後、端末は、基地局応答オーダーを受信すると、サービスネゴシエーションを遂行する。ステップ５４０で、使用者が受信者の電話番号の入力を完了した後、通話ボタンを押すと、ステップ５５０で、端末は、上記受信者の電話番号を含む発呼延長メッセージを基地局へ送信する。
【００３３】
図１１は、本発明の第３の実施形態による基地局の動作を示すフローチャートである。図１１を参照すると、ステップ６００で、端末から受信者の電話番号を含まない発呼メッセージ、又は、０で設定されたダミー電話番号を含む発呼メッセージを受信すると、ステップ６０５で、基地局は、基地局応答オーダーメッセージを生成して端末へ送信する。そして、ステップ６１０で、基地局は、ＣＭサービス要求メッセージを移動交換局へ送信した後、ステップ６２０で、基地局は、端末のための無線資源、すなわち、順方向及び逆方向トラヒックチャンネルを割り当て、上記割当て情報を含むチャンネル割当てメッセージを端末へ送信する。ステップ６３０で、上記割当てられた無線チャンネルを介して端末との応答オーダーの交換後、サービスネゴシエーションを遂行する。すなわち、基地局は、端末からプリアンブルを受信すると、基地局応答オーダーを端末へ送信した後、端末から端末応答オーダーを受信する。このように、応答オーダーが交換された後、基地局は、端末とサービスネゴシエーションを遂行する。ステップ６４０で、基地局は、端末から発呼延長メッセージを受信して移動交換局へ送信する。この後、ステップ６５０で、移動交換局から割当て要求メッセージを受信すると、基地局は、ステップ６６０で、無線区間での呼設定が完了されたか否かを確認する。無線区間での呼設定が完了されると、ステップ６７０で、 基地局は、割当て完了メッセージを移動交換局へ送信する。一方、基地局は、無線区間での呼設定が完了されるときまで待機する。
【００３４】
図１２は、本発明の実施形態による端末の構成を示すブロック図である。本発明の実施形態による端末の動作については、図１２を参照してさらに詳細に説明される。
無線（Radio Frequency；ＲＦ）部７１２は、制御部７１１の制御によって、逆方向及び順方向チャンネルを設定し、順方向チャンネルを介して受信されたメッセージ又はデータを基底帯域信号にダウンコンバートし、モデム７１３へ提供する。また、無線部７１２は、モデム７１３から受信されたデータをアップコンバートし、上記アップコンバートされたデータを逆方向チャンネルを介して基地局へ送信する。モデム７１３は、無線部７１２から受信されたデータを復調して制御部７１１へ提供する。また、モデム７１３は、制御部７１１から受信されたメッセージ又はデータ及び画像処理部７１７から受信されたデータの符号化及び変調を遂行し、無線部７１２へ出力する。また、モデム７１３が音声信号を受信すると、モデム７１３は、上記受信された音声信号を電気音声信号へ変換し、上記電気音声信号をスピーカへ出力する。そして、モデム７１３がマイクロフォンから上記電気音声信号を受信すると、モデム７１３は、上記受信された電気音声信号を変調して無線部７１２へ出力する。音声処理部７１７は、制御部７１１の制御によってモデム７１３に音声データを提供する。キー入力部７１４は、ダイヤルのための数字キーと多様な機能を設定するための機能キーとから構成されることができる。又は、キー入力部７１４は、物理キーを有しないタッチパッドで構成されることもできる。キー入力部７１４は、使用者が入力するキーに相当するキー信号を生成して制御部７１１へ提供する。表示部７１５は、使用者にグラフィックユーザーインターフェース（Graphic User Interface；ＧＵＩ）を提供する部分と、使用者にアラームを提供する部分とに構成されることができる。上記ＧＵＩを提供する部分は、一般に、液晶表示装置（liquid crystal display；ＬＣＤ）で構成されることができ、アラームを提供する部分は、アラームランプ又は（light emitting diode；ＬＥＤ）で構成されることができる。メモリ７１６は、本発明の実施形態による制御プログラムと制御プログラムの実行の間に生成されたデータとを貯蔵する。また、メモリ７１６は、短縮ダイヤルのための電話番号と短縮ダイヤル番号をマッチングして貯蔵する。また、本発明の実施形態で提案された動作を遂行するようにするか、又は、遂行しないようにするための選択ビットを付加的に提供することができる。このような場合、上記選択ビットは、メモリ７１６に貯蔵される。このような選択ビットを使用する場合に遂行される動作について説明すると、下記の通りである。
【００３５】
本発明の第１の実施形態乃至第３の実施形態のうちの１つの方法に基づいて、端末が動作すると仮定する。端末は、上記各実施形態に基づく動作が製造過程の間に設定されることもでき、又は使用者の判断に従って選択されることもできるように構成されることができる。以下の説明では、３つの実施形態のうちの１つが端末の製造過程の間に設定されると仮定する。このような場合、上記選択ビットが設定されると、端末は、本発明の第１の実施形態乃至第３の実施形態のうちの１つに相当する呼設定手順を遂行する。このような制御部７１１の制御動作について説明する。
【００３６】
制御部７１１は、最初ダイヤルを遂行するためのキーがキー入力部７１４から入力される場合、発呼メッセージを生成してモデム７１３に出力する。上述したように、発呼メッセージは、受信者の電話番号を含まないか、又は、０で設定されたダミー電話番号を含む。制御部７１１が第２の実施形態で提案された方法にて動作すると、制御部７１１は、すべてのダイヤルが完了された後、又は、短縮ダイヤルが遂行される場合に上記発呼メッセージを生成する。このような場合、制御部７１１は、受信者の電話番号を含まない発呼メッセージを生成するか、又は、ダミー電話番号を含む発呼メッセージを生成する方法を遂行しない。第１及び第３の実施形態でも、短縮ダイヤルモードで、制御部７１１は、所定数のキーが入力される場合に発呼メッセージを生成することができる。例えば、短縮ダイヤルを遂行するために割り当てられた短縮番号が２桁であれば、すなわち、“００”〜“９９”の番号が割り当てられると、制御部７１１は、３桁が入力される場合に第１の実施形態及び第３の実施形態を遂行する。また、短縮ダイヤルのために割り当てられた短縮番号が３桁であれば、すなわち、“０００”〜“９９９”の番号が割り当てられると、制御部７１１は、４桁が入力される場合に第１の実施形態及び第３の実施形態を遂行する。また、制御部７１１は、第１の実施形態の最後で説明した通りに動作することができる。すなわち、上記選択ビットが設定されている場合、最初ダイヤルのためのキーが入力されると、制御部７１１は、発呼メッセージを生成して送信する。この後、短縮ダイヤルが要求されると、制御部７１１は、メモリ７１６から入力された短縮ダイヤル番号に該当する電話番号を読み出し、この読み出された電話番号を受信者の電話番号として使用して発呼メッセージを生成する。このような場合、制御部７１１は、短縮ダイヤル番号が入力されるか否かを判断せず、発呼メッセージを生成することができる。
【００３７】
このように、着信側の電話番号を含まないか、又は、ダミー電話番号を含む発呼メッセージがモデム７１３に入力されると、モデム７１３は、制御部７１１の制御によって、上記発呼メッセージの符号化及び変調を遂行して無線部７１２へ出力する。そうすると、無線部７１２は、上記変調された発呼メッセージをアップコンバートし、上記アップコンバートされた発呼メッセージを逆方向リンクを通して送信する。この後、モデム７１３で処理された無線部７１２を通して基地局応答オーダーメッセージ及びチャンネル割当てメッセージを受信し、制御部７１１へ提供する。そうすると、制御部７１１は、上記チャンネル割当てメッセージに従って順方向及び逆方向トラヒックチャンネルを設定する制御動作を遂行する。すなわち、制御部７１１は、無線部７１２を制御して、上記割り当てられた順方向トラヒックチャンネルを介してトラヒックを受信することができるようにし、上記割り当てられた逆方向トラヒックチャンネルを介してデータを送信することができるようにする。その後、制御部７１１は、上記割り当てられた逆方向トラヒックチャンネルを通してプリアンブルを送信する。この後、制御部７１１は、基地局と応答オーダーメッセージを交換し、基地局とサービスネゴシエーションを遂行する。このような動作は、従来の動作と同一であるので、詳細な説明は省略する。
【００３８】
制御部７１１は、キー入力部７１４からダイヤル完了信号が受信されるか否かを検査する。“ダイヤル完了信号”は、一般に、キー入力部７１４に備えられた通話キーを押す場合に生成された信号を示すことができる。しかしながら、短縮ダイヤル・モードで、“ダイヤル完了信号”は、短縮ダイヤル番号が入力される場合に生成された信号を示す。例えば、短縮ダイヤル番号を構成する桁数が２である場合、ダイヤル完了信号は、２番目の桁が長く押される場合に生成された信号を示し、短縮ダイヤル番号を構成する桁数が３である場合、ダイヤル完了信号は、３番目の桁が長く押される場合に生成された信号を示す。このように、発信信号が受信されると、制御部７１１は、発呼延長メッセージを生成して基地局へ送信する制御動作を遂行する。このような制御動作で、制御部７１１は、着信側の電話番号をすべて含む発呼延長メッセージを生成してモデム７１３に出力し、モデム７１３は、発呼延長メッセージに対する符号化及び変調を遂行し、無線部７１２は、上記変調された発呼延長メッセージをアップコンバートし、このアップコンバートされた発呼延長メッセージを 基地局へ送信する。次の呼設定動作は、従来技術の呼設定動作と同一である。また、上記ダイヤル完了信号は、第２の実施形態とは関連がない。
【００３９】
以上、本発明を具体的な実施形態を参照して詳細に説明してきたが、本発明の範囲は上述の実施形態によって限られるべきではなく、本発明の範囲内で様々な変形が可能であるということは、当該技術分野における通常の知識を持つ者には明らかである。
【図面の簡単な説明】
【００４０】
【図１】典型的なセルラー移動通信システムの構成を示す図である。
【図２】従来技術による発呼を設定する手順を示すメッセージフロー図である。
【図３】本発明の第１の実施形態による呼設定手順を示すメッセージフロー図である。
【図４】本発明の第１の実施形態による端末の動作を示すフローチャートである。
【図５】本発明の第１の実施形態による基地局の動作を示すフローチャートである。
【図６】本発明の第２の実施形態による呼設定手順を示すメッセージフロー図である。
【図７】本発明の第２の実施形態による端末の動作を示すフローチャートである。
【図８】本発明の第２の実施形態による基地局の動作を示すフローチャートである。
【図９】本発明の第３の実施形態による呼設定手順を示すメッセージフロー図である。
【図１０】本発明の第３の実施形態による端末の動作を示すフローチャートである。
【図１１】本発明の第３の実施形態による基地局の動作を示すフローチャートである。
【図１２】本発明の他の実施形態による端末の構成を示すブロック図である。
【符号の説明】
【００４１】
７１１    制御部
７１２    無線部
７１３    モデム
７１４    キー入力部
７１５    表示部
７１６    メモリ
【図１】
0004782566.tif 000002
【図２】
0004782566.tif 000003
【図３】
0004782566.tif 000004
【図４】
0004782566.tif 000005
【図５】
0004782566.tif 000006
【図６】
0004782566.tif 000007
【図７】
0004782566.tif 000008
【図８】
0004782566.tif 000009
【図９】
0004782566.tif 000010
【図１０】
0004782566.tif 000011
【図１１】
0004782566.tif 000012
【図１２】
0004782566.tif 000013